(57)【要約】【課題】  インキ壷キーの開度に対応して正確なインキの膜厚を得られるようにするとともに、常に安定したインキの膜厚を得られるようにする。【解決手段】  インキ壷の底７ａとインキ壷の両側面１０ａを覆うフィルム状のカバー１５が設けられている。カバー１５の先端部は、インキ壷の下方に設けたカバー先端部保持手段２５によって保持されている。カバー１５の基端部は、インキ壷の上方に設けたカバー基端部保持手段４５によって保持されている。カバー１５は保持された状態で、矢印Ａ−Ｂ方向にテンションが付与されている。カバー基端部保持手段４５で保持され、カバー先端部保持手段２５による保持が解除された状態のカバー１５は、カバー引出し手段４０によって引き出される。【選択図】  図２
2006088543.tif 000002
【特許請求の範囲】
【請求項１】
回転自在に支持された壷ローラと、
この壷ローラに先端を近接させて支持され、インキ壷の底面を形成するインキ壷本体と、
このインキ壷本体に支持され互いに対向する面がインキ壷の両側面を形成する一対のインキせきと、
前記インキ壷の底面の下端に位置するように設けられ進退させることにより前記壷ローラとの間隙を調整可能なインキ壷キーと、
前記インキ壷の内面を覆うフィルム状のカバーとを備えた印刷機のインキ壷装置において、
前記カバーにおけるインキ壷キーの進退方向の両端部を保持する２つのカバー保持手段と、
これらカバー保持手段のいずれか一方にカバーにテンションを付与するカバーテンション付与手段を設けたことを特徴とする印刷機のインキ壷装置。
【請求項２】
請求項１記載の印刷機のインキ壷装置において、
前記カバーテンション付与手段を、回動自在に支持され前記カバー保持手段の一方に回動端部が固定されたレバーと、このレバーを回動させるアクチュエータとによって構成したことを特徴とする印刷機のインキ壷装置。
【請求項３】
請求項１記載の印刷機のインキ壷装置において、
前記カバー保持手段の他方にカバーを引き出すカバー引出し手段を設けたことを特徴とする印刷機のインキ壷装置。
【請求項４】
請求項３記載の印刷機のインキ壷装置において、
前記カバー引出し手段を、回動自在に支持され前記カバー保持手段の他方に回動端部が固定されたレバーと、このレバーを回動させるアクチュエータとによって構成したことを特徴とする印刷機のインキ壷装置。
【請求項５】
請求項３記載の印刷機のインキ壷装置において、
前記カバーテンション付与手段をインキ壷の下方に設け、前記カバー引出し手段をインキ壷の上方に設けたことを特徴とする印刷機のインキ壷装置。
【請求項６】
請求項３または５記載の印刷機のインキ壷装置において、
前記カバー引出し手段を駆動する駆動手段を備えたことを特徴とする印刷機のインキ壷装置。
【発明の詳細な説明】
【技術分野】
【０００１】
本発明は、インキ壷内に残存するインキを除去して洗浄するのに好適な印刷機のインキ壷装置に関する。
【背景技術】
【０００２】
印刷機のインキ壷装置においては、色替え毎に洗浄を行う必要があり、この洗浄に当たってはインキ壷の内面も完全に洗浄しなければならない。インキ壷の内面の洗浄は、インキ壷の内面が複雑な構造を有しているために自動化が困難であるため、作業者が手作業で行っているのが実状である。この手作業での洗浄は煩雑であるから作業者への負担が大きくなるばかりか、作業時間もかかるため生産性の低下の原因にもなっていた。
【０００３】
この問題を解決するために、従来の印刷機のインキ壷装置においては、１枚のフィルム状のカバーを壷ローラの両端部の周面とインキせきの前端とで挟み込み、このカバーによってインキ壷の底面とインキ壷の両側面とを覆い、インキ壷を洗浄するときは、壷ローラとインキせきとによる挟み込みを解除し、インキが残存したカバーを取り外している（例えば、特許文献１参照）。また、インキ壷本体のインキ壷の底面を覆う帯状部とインキせきのインキ壷の両側面を覆う耳部とからなるフィルム状のカバーを備えており、洗浄時にこのカバーを移動させることにより、カバー上に残存するインキを除去する手法を採っている（例えば、特許文献２参照）。なお、本出願人は、本明細書に記載した先行技術文献情報で特定される先行技術文献以外には、本発明に密接に関連する先行技術文献を出願時までに見付け出すことはできなかった。
【特許文献１】特開平１０−２７８２２９号公報（段落「００１８」、「００１９」および図５，図６）
【特許文献２】特開平９−９９５４４号公報（段落「００１６」、「００２１」および図４，図５）
【発明の開示】
【発明が解決しようとする課題】
【０００４】
上述した従来の印刷機のインキ壷装置のうちの前者の構造においては、インキ壷を覆うカバーにインキ壷キーの進退方向へのテンションが付与されていないために、インキ壷キーの先端を覆うカバーに弛みが生じることがある。このため、インキ壷キーの開度に対応した正確なインキの膜厚が得られないという問題があった。また、上述した従来の印刷機のインキ壷装置のうちの後者の構造においては、長尺のカバーをカバー巻取りロールによって巻取る構造であるために、カバーを巻き取っていくにしたがってカバー巻取りロールの径が変化する。このため、新しいカバーに交換する毎にカバーに付与されるテンションが変化するから、常に安定したインキ膜厚を得ることが困難であるという問題があった。
【０００５】
本発明は上記した従来の問題に鑑みなされたものであり、第１の目的はインキ壷キーの開度に対応して正確なインキの膜厚を得ることにある。また、第２の目的は常に安定したインキ膜厚を得ることにある。
【課題を解決するための手段】
【０００６】
この目的を達成するために、請求項１に係る発明は、回転自在に支持された壷ローラと、この壷ローラに先端を近接させて支持され、インキ壷の底面を形成するインキ壷本体と、このインキ壷本体に支持され互いに対向する面がインキ壷の両側面を形成する一対のインキせきと、前記インキ壷の底面の下端に位置するように設けられ進退させることにより前記壷ローラとの間隙を調整可能なインキ壷キーと、前記インキ壷の内面を覆うフィルム状のカバーとを備えた印刷機のインキ壷装置において、前記カバーにおけるインキ壷キーの進退方向の両端部を保持する２つのカバー保持手段と、これらカバー保持手段のいずれか一方にカバーにテンションを付与するカバーテンション付与手段を設けたものである。
【０００７】
請求項２に係る発明は、請求項１に係る発明において、前記カバーテンション付与手段を、回動自在に支持され前記カバー保持手段の一方に回動端部が固定されたレバーと、このレバーを回動させるアクチュエータとによって構成したものである。
【０００８】
請求項３に係る発明は、請求項に係る発明において、前記カバー保持手段の他方にカバーを引き出すカバー引出し手段を設けたものである。
【０００９】
請求項４に係る発明は、請求項３に係る発明において、前記カバー引出し手段を、回動自在に支持され前記カバー保持手段の他方に回動端部が固定されたレバーと、このレバーを回動させるアクチュエータとによって構成したものである。
【００１０】
請求項５に係る発明は、請求項３に係る発明において、前記カバーテンション付与手段をインキ壷の下方に設け、前記カバー引出し手段をインキ壷の上方に設けたものである。
【００１１】
請求項６に係る発明は、請求項３または５に係る発明において、前記カバー引出し手段を駆動する駆動手段を備えたものである。
【発明の効果】
【００１２】
本発明によれば、常にカバーに一定のテンションが付与されているため、インキ壷キーの開度に対応して所望のインキの膜厚を得ることができるというばかりではなく、常に安定したインキの膜厚を得ることができる。また、インキせきを開いた状態でカバーの交換を行えるため交換の作業性が向上する。
【００１３】
請求項５に係る発明によれば、一方のカバー保持手段によるカバーの保持を解除し、カバー引き出し手段を作動させることにより、カバーをインキ壷から取り外すことが可能になるから、カバーの取り外し、取り付けが容易になる。
【００１４】
請求項６に係る発明によれば、人手を介することなく駆動手段によってカバー引出し手段を駆動することができるから、カバーの取り外し作業を容易かつ短時間で行うことができる。
【発明を実施するための最良の形態】
【００１５】
以下、本発明の実施の形態を図に基づいて説明する。図１は本発明に係る印刷機のインキ壷装置の平面図、図２は同じく側面図、図３は図１における III-III線断面図、図４は図１におけるIV-IV 線断面図、図５は図１におけるV-V 線断面図、図６は図１におけるVI-VI 線断面図、図７はフィルム状のカバーの平面図、図８はインキせきの駆動装置を示し、同図（ａ）は一部を破断して示す平面図、同図（ｂ）は正面図、同図（ｃ）は同図（ａ）におけるVIII（ｃ）-VIII（ｃ） 線断面図、同図（ｄ）は同図（ａ）におけるVIII（ｄ）-VIII（ｄ） 線断面図、同図（ｅ）は同図（ａ）におけるVIII（ｅ）-VIII（ｅ） 線断面図、同図（ｆ）は同図（ａ）におけるVIII（ｆ）-VIII（ｆ） 線断面図である。
【００１６】
図９は同じく構成図、図１０は同じく洗浄の動作を説明するためのフローチャートであって、同図（ａ）はインキ壷の洗浄動作を示し、同図（ｂ）はインキ壷の復帰動作を示し、図１１および図１２は同じく壷の洗浄動作を説明するための側面図であって、図１１（ａ）はインキ壷キーを０セットした状態で壷ローラを回転させ壷ローラ上のインキがインキ壷キーによって除去される状態を示し、同図（ｂ）はインキせきを壷ローラの端面から開き後退させた状態を示し、同図（ｃ）はインキ壷を開き、壷ローラの周面に残っているインキをカバー上に転移させた状態を示し、図１２（ａ）はフィルム状のカバーの先端部の保持を解除しカバーを引き出す状態を示し、同図（ｂ）はインキ壷を開き終わった状態を示し、同図（ｃ）はフィルム状のカバーの基端部の保持を解除し、インキが残存したカバーを取り除く状態を示す。
【００１７】
図１３および図１４は同じくインキ壷の復帰動作を説明するための側面図であって、図１３（ａ）は新しいフィルム状のカバーの基端部を位置決めしながら保持した状態を示し、同図（ｂ）はフィルム状のカバーの先端部を保持し、カバーにテンションを付与した状態を示し、同図（ｃ）はインキ壷を閉じた状態を示あい、図１４（ａ）はインキせきを前進させた状態を示し、同図（ｂ）はインキせきを第２の位置から第１の位置に回動させ、フィルム状のカバーの耳部を壷ローラの端面とインキ壷の両側面との間に挟み込みインキ壷の復帰が完了した状態を示し、同図（ｃ）はインキ壷に新しいインキを投入した状態を示す。
【００１８】
図１および図２において、１は印刷ユニットのフレーム、２はインキ壷装置、３はインキ壷装置２を構成する壷ローラ、４は呼び出しローラ、５はインキ練りローラであって、これらで版胴（図示せず）にインキを供給するインキ装置を構成している。
【００１９】
インキ壷装置２は、壷ローラ用モータ６（図９参照）によって駆動する壷ローラ３と、この壷ローラ３に近接して支持され、インキ壷の底面７ａを形成するインキ壷本体７と、インキ壷の底面７ａに設けられた複数のインキ壷キー９と、インキ壷本体７に支持され互いに対向する台形状に形成された面がインキ壷の両側面１０ａを形成する一対のインキせき１０と、インキ練りローラ５を洗浄する洗浄ノズル１１とによって概ね構成されている。
【００２０】
インキ壷キー９は、壷キー用モータ８（図９参照）の駆動によって矢印Ａ−Ｂ方向に進退させることにより、壷ローラ３との間隙が調整される。図７において、１５は略長方形に形成されたフィルム状のカバー（以下、単にカバーという）であって、インキ壷の底面７ａの幅と同じ幅に形成され、両側部には台形状に形成された一対の耳部１６，１６が設けられている。
【００２１】
このカバー１５の矢印Ｂ方向の端部である基端部１５ａには、左右方向に多数のカバー位置決め孔１７が穿孔されており、両側部には、後述するハンドル付きボルト４８が嵌入するＵ字溝１８，１８が設けられ、この基端部１５ａは後述するカバー基端部保持手段４５によって保持される。また、カバー１５の矢印Ａ方向の端部である先端部１５ｂは、後述するカバー先端部保持手段２５によって保持される。
【００２２】
図１および図４において、全体を符号２０，２０で示すものはカバーテンション付与手段であって、左右のフレーム１，１の内側のそれぞれに設けられ、後述するカバー保持手段４５，２５によって基端部１５ａおよび先端部１５ｂが保持されたカバー１５に、矢印Ａ−Ｂ方向へのテンションを付与する。このカバーテンション付与手段２０は、後述するインキ壷開閉支点ピン３３に一端が回動自在に支持され逆Ｌ字状に形成された左右一対のテンションレバー２１，２１と、これらテンションレバー２１，２１を回動させる左右一対のカバーテンション用エアシリンダ２２，２２とによって構成されている。
【００２３】
これらカバーテンション用エアシリンダ２２，２２は、ロッドエンド側が支持部材２３を介してインキ壷本体７のフレーム７ｂに枢支されており、進退自在のロッド２２ａ，２２ａが、左右のテンションレバー２１，２１間に両端部が枢支されたロッド２４に枢着されている。
【００２４】
図１、図３および図４において、カバー先端部保持手段２５は、左右のフレーム１，１間に延在するカバークランプバー２９と、このカバークランプバー２９とともにカバー１５の先端部１５ｂをクランプするカバークランププレート２６と、このカバークランププレート２６を移動させる一対のカバークランプ用エアシリンダ２８，２８とによって概ね構成されている。
【００２５】
図１において、２７は３個のクランププレート支持部材であって、左右のテンションレバー２１，２１間に両端部が枢支された連結バー３０に固着されており、この連結バー３０の両端部は左右のテンションレバー２１，２１から外側に突出している。カバークランププレート２６は、カバークランプバー２９に対向するように、クランププレート支持部材２７に支持されている。
【００２６】
カバークランプ用エアシリンダ２８，２８は、左右のテンションレバー２１，２１のそれぞれに固定されており、進退自在なロッド２８ａ，２８ａの先端部にはピン２８ｂ，２８ｂが植設されている。図４において、３１，３１は左右の駆動レバーであって、それぞれの一端が上記連結バー３０の左右の突出端部に軸着されており、他端に設けたＵ字状溝３１ａ，３１ａに、上記カバークランプ用エアシリンダ２８，２８のロッド２８ａ，２８ａのピン２８ｂ，２８ｂが係入されている。
【００２７】
したがって、このカバークランプ用エアシリンダ２８のロッド２８ａが前進すると、駆動レバー３１が図４中時計方向に回動するため、連結バー３０を介してクランププレート支持部材２７も図３中時計方向に回動するから、このクランププレート支持部材２７と一体的にクランププレート２６が移動してカバークランプバー２９に対接する。
【００２８】
一方、カバークランプ用エアシリンダ２８のロッド２８ａが後退すると、駆動レバー３１が図４中反時計方向に回動するため、連結バー３０を介してクランププレート支持部材２７も図３中反時計方向に回動するから、クランププレート支持部材２７と一体的にクランププレート２６が移動しカバークランプバー２９から離間する。
【００２９】
インキ壷本体７は、図１に示すように、左右のフレーム１，１に植設されたインキ壷開閉支点ピン３３，３３（一方のインキ壷開閉支点ピン３３は図示せず）を回動中心として回動自在に支持されている。このインキ壷本体７は、壷開閉用エアシリンダ３４の駆動によって、図１１（ａ）に示すように、壷ローラ３とともにインキ壷を形成する作動位置と、図１２（ｃ）に示すように、作動位置よりも下方に退避しかつインキ壷の底面７ａが略水平となる退避位置に移動可能に設けられている。
【００３０】
すなわち、壷開閉用エアシリンダ３４，３４は、図４に示すように、ロッドエンド側が支持部材３５，３５を介して左右のフレーム１，１の上面に枢着されており、進退自在なロッド３４ａ，３４ａの先端部が連結ピン３７，３７を介して逆Ｌ字状に形成された引出し部支持ブラケット３６，３６の上端部に枢着されている。
【００３１】
この引出し部支持ブラケット３６はインキ壷本体７のフレーム７ｂに固定されており、壷開閉用エアシリンダ３４のロッド３４ａが後退することにより、インキ壷本体７は作動位置に位置付けられ、ロッド３４ａが前進することにより退避位置に位置付けられる。
【００３２】
図１、図３および図４において、全体を符号４０で示すものはカバー引出し手段であって、左右一対のカバー引出し用エアシリンダ４１，４１と、これらカバー引出し用エアシリンダ４１，４１の駆動によってそれぞれ回動する左右一対のカバー引出し用レバー４２，４２とによって概ね構成されている。
【００３３】
カバー引出し用エアシリンダ４１は、図４に示すように、上記引出し部支持ブラケット３６に固定された支持部材４３にロッドエンド側が枢着されており、進退自在なロッド４１ａの先端部は、図３に示すように、カバー引出し用レバー４２の中央部に枢着されている。カバー引出し用レバー４２の基端部は上記連結ピン３７に枢支されており、カバー引出し用エアシリンダ４１のロッド４１ａが前進することにより、カバー引出し用レバー４２は、図３に示した状態から連結ピン３７を回動中心として時計方向に回動する。
【００３４】
図１において、全体を符号４５で示すものはカバー基端部保持手段であって、左右のフレーム１，１間に延在するカバー保持バー４６と、このカバー保持バー４６とともにカバー１５の基端部１５ａを保持するカバー押さえプレート４７と、このカバー押さえプレート４７をカバー保持バー４６に押し付けるハンドル付きボルト４８とによって概ね構成されている。
【００３５】
カバー保持バー４６は、上記一対のカバー引出し用レバー４２，４２のそれぞれの回動端部に両端部を固定されており、このカバー保持バー４６の上部には、図１および図３に示すように、左右方向に多数の位置決めピン４９が植設されているとともに、上部の両端部には一対のねじ孔５０，５０が螺設されている。
【００３６】
ねじ孔５０，５０には上記ハンドル付きボルト４８が螺合している。カバー保持バー４６の下面には、図１および図５に示すように、支持ブラケット５１が固定されており、この支持ブラケット５１に植設された支軸５２には、上記カバー押さえプレート４７の基端部が回動自在に枢支されている。
【００３７】
カバー押さえプレート４７には、上記ハンドル付きボルト４８および位置決めピン４９が嵌入する多数のＵ字溝５３が設けられている。このカバー押さえプレート４７を支軸５２を回動中心として、図５（ｂ）に示す状態から時計方向に回動させ同図（ａ）に示す状態とすることにより、カバー押さえプレート４７の下面がカバー保持バー４６の上面に対接する。
【００３８】
この状態で、ハンドル付きボルト４８をねじ孔５０にねじ込むことによって、カバー押さえプレート４７がカバー保持バー４６に押し付けられ、カバー１５の基端部１５ａが、これらカバー押さえプレート４７とカバー保持バー４６とによって保持される。
【００３９】
次に、図１および図８を用いてインキせきを進退方向および開閉方向に駆動するインキせき駆動手段について説明する。
【００４０】
全体を符号５５で示すインキせき駆動手段は、図１に示すようにインキ壷の両側に一対設けられている。このインキせき駆動手段５５には、図８に示すように、インキ壷本体７のフレーム７ｂ上に固定された固定ブロック５６が備えられ、この固定ブロック５６には、２個の支持ブロック５７，５８が矢印Ａ−Ｂ方向に離間し、互いに対向するように取り付けられている。
【００４１】
これら支持ブロック５７，５８間には、同図（ｄ）に示すように、進退軸６０が矢印Ａ−Ｂ方向に移動自在かつ軸線周りに回転自在に支持されており、この進退軸６０にはインキせき１０が一体的に取り付けられている。
【００４２】
インキせき１０の矢印Ａ側の端部には、摩擦力が比較的大きい弾性材であるゴムによって扁平な直方体状に形成された挟持部材７０がボルト（図示せず）によって着脱自在に固定されている。
【００４３】
６１はインキせき進退用エアシリンダであって、支持ブロック５７にブラケット６２を介して固定されており、上記進退軸６０の一端はこのエアシリンダ６１のロッド６１ａの先端に、軸線周りに回転自在となるように枢着されている。
【００４４】
６４は支持ブロック５７に固定されたインキせき開閉用ロータリアクチェータであって、出力軸６４ａには、同図（ｃ）に示すように、駆動歯車６５が軸着されており、この駆動歯車６５は支持ブロック５７に植設された軸６７に回転自在に支持された中間歯車６６に噛合している。６８は進退軸６０に軸着された歯車であって、中間歯車６６と噛合している。
【００４５】
このような構成を採ることにより、インキせき開閉用のロータリアクチュエータ６４の出力軸６４ａを同図（ｃ）中反時計方向に回動させることにより、駆動歯車６５が反時計方向に回転するため中間歯車６６を介して歯車６８も反時計方向に回転する。
【００４６】
したがって、歯車６８が軸着された進退軸６０も反時計方向に回転し、インキせき１０も反時計方向に回転するから、同図において、インキせき１０は二点鎖線で示した位置から、実線で示すように壷ローラ３の端面３ａに対接し、インキせき１０は、インキ壷本体７の底面７ａとインキ壷の側面１０ａとなす角度が直角である９０°となる位置に位置付けられれる。このインキせき１０の位置を、以下第１の位置と称する。
【００４７】
一方、インキせき開閉用のロータリアクチュエータ６４の出力軸６４ａを同図（ｃ）中時計方向に回動させることにより、駆動歯車６５が時計方向に回転するため中間歯車６６を介して歯車６８も時計方向に回転する。
【００４８】
したがって、歯車６８が軸着された進退軸６０も時計方向に回転し、インキせき１０も時計方向に回転するから、同図に二点鎖線で示すように、インキせき１０は、インキ壷本体７の底面７ａとインキ壷の側面１０ａとなす角度が鈍角である１８０°となる。このインキせき１０の位置を、以下第２の位置と称する。
【００４９】
この状態で、インキせき進退用エアシリンダ６１のロッド６１ａを後退させると、同図（ｄ）において進退軸６０が矢印Ｂ方向に移動し、この進退軸６０に一体的に取り付けられたインキせき１０も矢印Ｂ方向に移動する。
【００５０】
したがって、インキせき１０は第２の位置に位置付けられた状態で、壷ローラ３（図示を省略）から離間する。
【００５１】
一方、インキせき進退用エアシリンダ６１のロッド６１ａを前進させることにより、同図（ｄ）において進退軸６０が矢印Ａ方向に移動し、この進退軸６０に一体的に取り付けられたインキせき１０も矢印Ａ方向に移動する。
【００５２】
したがって、インキせき１０は第２の位置に位置付けられた状態のままで、インキせき１０の挟持部材７０が壷ローラ３の端面３ａに臨む位置に位置付けられる。
【００５３】
図９において、７２はインキ壷の洗浄を開始するための洗浄スタート押しボタン、７３はインキ壷の洗浄が終了した後、インキ壷を復帰させるための壷復帰スタート押しボタンである。
【００５４】
７４は制御装置であって、洗浄スタートボタン７２、壷復帰スタートボタン７３および印刷機内からの各種信号によって、壷ローラ用モータ６、壷キー用モータ８、カバーテンション用エアシリンダ２２、カバークランプ用エアシリンダ２８、カバー引出し用エアシリンダ４１、壷開閉用エアシリンダ３４、インキせき進退用エアシリンダ６１およびインキせき開閉用ロータリアクチュエータ６４の駆動を制御する。
【００５５】
次に、主に図１０ないし図１４を用いて、このような構成のインキ壷装置における洗浄動作およびインキ壷を復帰させる動作を説明する。先ず、洗浄動作を説明する。
【００５６】
予め、印刷動作中は、図２に示すように一対のインキせき１０のインキ壷の側面１０ａが壷ローラ３の端面３ａに対接し、インキ壷本体７とともにインキ壷を形成しているとともに、カバー１５によってインキ壷の底面７ａとインキ壷の両側面１０ａとが覆われている。
【００５７】
この状態で、印刷が終了してインキ壷を洗浄する場合は、図１０（ａ）のＳ１において、洗浄スタート押しボタン７２（図９参照）をＯＮにすると、制御装置７４では、壷キー用モータ８（図９参照）を駆動するように制御し、すべてのインキ壷キー９の先端と壷ローラ３の周面との間隔が「０」になるインキ壷キー０セットがなされる（Ｓ２）。
【００５８】
すべてのインキ壷キー９の先端と壷ローラ３の周面との間隔が「０」にならない場合は、Ｓ２において再度インキ壷キー０セットがなされる。すべてのインキ壷キー９の先端と壷ローラ３の周面との間隔が「０」になったら、壷ローラ用モータ６（図９参照）が駆動し、図１１（ａ）に示すように、壷ローラ３が回転する（Ｓ３）。
【００５９】
この壷ローラ３の回転によって壷ローラ３上のインキがインキ壷キー９によって除去され、Ｓ４において壷ローラ用モータ６の駆動が停止し壷ローラ３の回転が停止する。
【００６０】
図８（ｃ）において、インキせき開閉用ロータリアクチュエータ６４の出力軸６４ａが時計方向に回転すると、インキせき１０が実線で示す第１の位置から二点鎖線で示す第２の位置に回動し、壷ローラ３の端面３ａから開く（Ｓ５）。
【００６１】
図８（ｄ）において、インキせき進退用エアシリンダ６１のロッド６１ａが後退すると、インキせき１０が図１１（ｂ）に示すように、後退して図中矢印Ｂ方向へ移動し、インキせき１０の挟持部材７０が壷ローラ３の端面３ａから離間する（Ｓ６）。
【００６２】
図１１（ｃ）に示すように、壷開閉用エアシリンダ３４が駆動し、ロッド３４ａが前進することにより、インキ壷本体７がインキ壷開閉支点ピン３３を回動中心として図中反時計方向に回動しインキ壷を開く（Ｓ７）。同時に、壷ローラ用モータ６（図９参照）が駆動し壷ローラ３が回転する（Ｓ８）。
【００６３】
さらに同時に、図１２（ａ）に示すように、カバー引出し用エアシリンダ４１を駆動しロッド４１ａが前進することにより、カバー引出し用レバー４２が連結ピン３７を回動中心として図中時計方向に回動する（Ｓ９）。
【００６４】
同時に、カバークランプ用エアシリンダ２８が駆動し、ロッド２８ａが後退することにより、カバークランププレート２６がカバークランプバー２９から離間し、カバー１５の先端部１５ｂの保持が解除される（Ｓ１０）。したがって、同図（ｂ）に示すように、インキ壷本体７は退避位置に位置付けられ、カバー１５は先端部１５ｂの保持が解除され基端部１５ａが引き出される。
【００６５】
このように、カバー引出し用エアシリンダ４１の駆動と、カバークランプ用エアシリンダ２８の駆動とにより、カバー１５の基端部１５ａがカバー先端部保持手段２５から自動的に引き出すことができるため、カバー１５の取り外し作業が容易かつ短時間で行うことができる。
【００６６】
このとき、壷ローラ３が回転していることにより、壷ローラ３の周面に残っているインキがカバー１３上に転移する。壷ローラ用モータ６の駆動が停止し、壷ローラ３の回転が停止する（Ｓ１１）。
【００６７】
カバーテンション用エアシリンダ２２が駆動し、ロッド２２ａが前進することにより、テンションレバー２１がインキ壷開閉支点ピン３３を回動中心として図中反時計方向に回動し、カバー１５にテンションを付与する状態が解除される（Ｓ１２）。
【００６８】
次いで、手によってハンドル付きボルト４８の螺合を緩め、図１２（ｃ）に示すように、カバー押さえプレート４７を支軸５２を回動中心として反時計方向に回動させることにより、カバー保持バー４６とによって保持していたカバー１５の基端部１５ａの保持を解除する。インキ７５が残存するカバー１５をインキ壷から取り除くことによりインキ壷の洗浄が終了する（Ｓ１３）。
【００６９】
同時に、洗浄ノズル１１から練りローラ５に洗浄液を噴射することにより、練りローラ５が洗浄されるとともに、呼び出しローラ４を練りローラ５と壷ローラ３との間を往復動させることにより壷ローラ３も洗浄される。
【００７０】
このように、カバー引出し手段４０をインキ壷の上方に設けたことにより、このカバー引出し手段４０によって引き出されたカバー１５をインキ壷の上方から取り外すことができるため、カバー１５の取り外しの作業性が向上する。また、カバー１５を取り外す際に、インキせき１０が壷ローラ３の端面３ａから開いた状態になっているため、カバー１５の取り外しの作業性が向上する。
【００７１】
次に、インキ壷を復帰させる動作を説明する。
【００７２】
新しいカバー１５の基端部１５ａのカバー位置決め孔１７を、図２に示すように、カバー保持バー４６の位置決めピン４９に係入させることにより、基端部１５ａをカバー保持バー４６上に位置決めして載置する。
【００７３】
次いで、カバー押さえプレート４７を、図１３（ａ）に示すように、支軸５２を回動中心として時計方向に回動させ、カバー保持バー４６に対向させてから、ハンドル付きボルト４８をねじ込むことにより、カバー押えプレート４７とカバー保持バー４６とで基端部１５ａを挟み込み、基端部１５ａをカバー基端部保持手段４５によって保持する。
【００７４】
しかる後、カバー１５の先端部１５ｂをカバークランププレート２６とカバークランプバー２９との間に挿入する。このとき、先端部保持手段２５がインキ壷の下方に設けられているため、インキ壷の上方から先端部１５ｂをカバークランププレート２６とカバークランプバー２９との間に挿入することができるから挿入が容易になる。
【００７５】
この状態で、Ｓ１５において、壷復帰スタート押しボタン７３（図９参照）をＯＮにすると、カバークランプ用エアシリンダ２８が駆動し、図１３（ｂ）に示すように、ロッド２８ａが前進することにより、クランププレート支持部材２７が連結バー３０を回動中心として時計方向に回動する。したがって、カバークランププレート２６がカバークランプバー２９に対接し、先端部１５ｂがカバー先端部保持手段２５によって保持される（Ｓ１６）。
【００７６】
次いで、カバーテンション用エアシリンダ２２が駆動し、ロッド２２ａが後退するため、テンションレバー２１がインキ壷開閉支点ピン３３を回動中心として時計方向に回動する。
【００７７】
したがって、基端部１５ａをカバー基端部保持手段４５に保持され、先端部１５ｂをカバー先端部保持手段２５によって保持されたカバー１５は、矢印Ａ−Ｂ方向、すなわちインキ壷キー９の進退方向にテンションが付与される（Ｓ１７）。このため、インキ壷キー９の先端を覆うカバーに弛みが発生しないから、インキ壷キーの開度に対応して所望のインキの膜厚を得ることができる。
【００７８】
また、交換された新しいカバー１５にテンションを付与するのに、手動で行うことなくカバーテンション用エアシリンダ２２の駆動によって行うようにしたことにより、交換された新しいカバー１５の装着状態を常に同じ状態とすることができる。このため、インキの膜厚の変動を低減させることができるから、常に安定したインキの膜厚が得られる。
【００７９】
次いで、壷開閉用エアシリンダ３４が駆動し、図１３（ｃ）に示すように、ロッド３４ａが後退することにより、引出し部支持ブラケット３６を介して、インキ本体７がインキ壷開閉支点ピン３３を回動中心として時計方向に回動しインキ壷が閉じる（Ｓ１８）。
【００８０】
インキせき進退用エアシリンダ６１が駆動し、図１４（ａ）に示すように、ロッド６１ａが前進することにより、インキせき１０が矢印Ａ方向に移動し、インキせき１０の先端部に取り付けた挟持部材７０が壷ローラ３の端面３ａの一部に臨む（Ｓ１９）。
【００８１】
この状態で、インキせき開閉用ロータリアクチュエータ６４が駆動し出力軸６４ａが、図８（ｃ）において反時計方向に回動することにより、インキせき１０が二点鎖線で示す第２の位置から回動して、実線で示す第１の位置に位置付けられ、インキせき１０が壷ローラ３の端面３ａを閉じる（Ｓ２０）。
【００８２】
したがって、挟持部材７０がローラ３の端面３ａに対接し、カバー１５の耳部１６が折り曲げられ、この耳部１６が挟持部材７０とローラ３の端面３ａとの間に挟み込まれ、インキ壷の両側面１０ａが耳部１６によって覆われてインキ壷が復帰する（Ｓ２１）。
【００８３】
このように、カバー１５をインキ壷から取り外すときおよび取り付けるときに、インキせき１０が壷ローラ３の端面３ａから開いているため、作業を容易かつ短時間で行うことができる。
【００８４】
図１５は本発明の第２の実施の形態を示す平面図、図１６は同じく側面図、図１７（ａ）は図１５におけるXVIII（ａ）-XVIII（ａ） 線断面図、同図（ｂ）は図１５におけるXVIII（ｂ）-XVIII（ｂ） 線断面図である。これらの図において、上述した図１ないし図１４に示す本発明の第１の実施の形態において説明した同一または同等の部材については同一の符号を付し詳細な説明は適宜省略する。なお、インキ壷本体７を回動させインキ壷を開閉させるインキ壷開閉用エアシリンダ３４は図示を省略している。
【００８５】
この第２の実施の形態が、上述した第１の実施の形態と異なる点は、カバー１５の引き出しの作業を手動によって行うようにしたことにある。すなわち、上述した第１の実施の形態に備えられていたカバー引き出し用エアシリンダ４１やカバー基端部保持手段４５を支持するカバー引出し用レバー４２が備えられていない。
【００８６】
カバー基端部保持手段４５はインキ壷本体７の後部に固定されており、図１５に示すように、カバー基端部保持手段４５を構成する支持ブラケット５１が、ボルト５４によってインキ壷本体７の後端面に対接するようにインキ壷本体７の後部に固定されている。
【００８７】
このように構成されていることにより、図１６に示すカバー１５によってインキ壷の底面７ａとインキ壷の両側面１０ａとが覆われた状態からカバー１５を取り外すには、先ず、上述した第１の実施の形態において図１０（ａ）で説明したＳ１からＳ８に示す動作と同じ順序によって、インキせき１０を開いた状態で矢印Ｂ方向に後退させインキ壷を開く。
【００８８】
次に、カバークランプ用エアシリンダ２８を駆動させ、図１７（ａ）においてロッド２８ａを後退させることにより、カバー先端部保持手段２５によって保持されたカバー１５の先端部１５ｂの保持を解除する。
【００８９】
次いで、カバーテンション用エアシリンダ２２を駆動させ、ロッド２２ａを前進させることにより、カバー１５にテンションを付与する状態を解除する。この状態としてから、壷ローラ用モータ６の駆動を停止し壷ローラ３を回転を停止させる。
【００９０】
次に、ハンドル付きボルト４８の螺合を緩め、図１６において、カバー押さえプレート４７を支軸５２を回動中心として反時計方向に回動させることにより、カバー保持バー４６とによって保持していたカバー１５の基端部１５ａの保持を解除する。インキ７５が残存するカバー１５をインキ壷から取り除くことによりインキ壷の洗浄が終了する。
【００９１】
この第２の実施の形態におけるインキ壷を復帰させる動作は、上述した第１の実施の形態で図１０（ｂ）において説明した動作と同じ方法で行う。
【００９２】
なお、本実施の形態においては、インキせき１０の開閉をロータリアクチュエータ６４によって駆動するようにしたが、モータまたはエアシリンダによって駆動するようにしてもよい。また、カバー１５の先端部１５ｂに、基端部１５ａと同様に位置決め孔を設け、カバークランプバー２９にこの位置決め孔に係入するピンを植設し、カバー１５にテンションを付与するときに、カバー１５のカバー先端部保持手段２５からの抜けを規制するようにしてもよい。
【図面の簡単な説明】
【００９３】
【図１】本発明に係る印刷機のインキ壷装置の平面図である。
【図２】本発明に係る印刷機のインキ壷装置の側面図である。
【図３】図１におけるIII-III 線断面図である。
【図４】図１におけるIV-IV 線断面図である。
【図５】図１におけるV-V 線断面図である。
【図６】図１におけるVI-VI 線断面図である。
【図７】本発明に係る印刷機のインキ壷装置におけるフィルム状のカバーの平面図である。
【図８】本発明に係る印刷機のインキ壷装置におけるインキせきの駆動装置を示し、同図（ａ）は一部を破断して示す平面図、同図（ｂ）は正面図、同図（ｃ）は同図（ａ）におけるVIII（ｃ）-VIII（ｃ） 線断面図、同図（ｄ）は同図（ａ）におけるVIII（ｄ）-VIII（ｄ） 線断面図、同図（ｅ）は同図（ａ）におけるVIII（ｅ）-VIII（ｅ） 線断面図、同図（ｆ）は同図（ａ）におけるVIII（ｆ）-VIII（ｆ） 線断面図である。
【図９】本発明に係る印刷機のインキ壷装置の構成図である。
【図１０】本発明に係る印刷機のインキ壷装置における洗浄の動作を説明するためのフローチャートであって、同図（ａ）はインキ壷の洗浄動作を示し、同図（ｂ）はインキ壷の復帰動作を示す。
【図１１】本発明に係る印刷機のインキ壷装置における壷の洗浄動作を説明するための側面図であって、同図（ａ）はインキ壷キーを０セットした状態で壷ローラを回転させ壷ローラ上のインキがインキ壷キーによって除去される状態を示し、同図（ｂ）はインキせきを壷ローラの端面から開き後退させた状態を示す、同図（ｃ）はインキ壷を開き、壷ローラの周面に残っているインキをカバー上に転移させた状態を示す。
【図１２】本発明に係る印刷機のインキ壷装置における壷の洗浄動作を説明するための側面図であって、同図（ａ）はフィルム状のカバーの先端部の保持を解除しカバーを引き出す状態を示し、同図（ｂ）はインキ壷を開き終わった状態を示し、同図（ｃ）はフィルム状のカバーの基端部の保持を解除し、インキが残存したカバーを取り除く状態を示す。
【図１３】本発明に係る印刷機のインキ壷装置におけるインキ壷の復帰動作を説明するための側面図であって、同図（ａ）は新しいフィルム状のカバーの基端部を位置決めしながら保持した状態を示し、同図（ｂ）はフィルム状のカバーの先端部を保持し、カバーにテンションを付与した状態を示し、同図（ｃ）はインキ壷を閉じた状態を示す。
【図１４】本発明に係る印刷機のインキ壷装置におけるインキ壷の復帰動作を説明するための側面図であって、同図（ａ）はインキせきを前進させた状態を示し、同図（ｂ）はインキせきを第２の位置から第１の位置に回動させ、フィルム状のカバーの耳部を壷ローラの端面とインキ壷の両側面との間に挟み込みインキ壷の復帰が完了した状態を示し、同図（ｃ）はインキ壷に新しいインキを投入した状態を示す。
【図１５】本発明の第２の実施の形態を示す平面図である。
【図１６】本発明の第２の実施の形態を示す側面図である。
【図１７】同図（ａ）は図１５におけるXVII（ａ）-XVII（ａ） 線断面図、同図（ｂ）は図１５におけるXVII（ｂ）-XVII（ｂ） 線断面図である。
【符号の説明】
【００９４】
１…フレーム、２…インキ壷装置、３…壷ローラ、７…インキ壷本体、７ａ…インキ壷の底面、８…壷キー用モータ、９…インキ壷キー、１０…インキせき、１０ａ…インキ壷の側面、１５…フィルム状のカバー、１６…耳部、２０…テンション付与手段、２２…カバーテンション用エアシリンダ、２５…カバー先端部保持手段、２６…カバークランププレート、２８…カバークランプ用エアシリンダ、２９…カバークランプバー、３４…壷開閉用エアシリンダ、３６…引出し部支持ブラケット、４０…引出し手段、４１…カバー引出し用エアシリンダ、４２…カバー引出し用レバー、４５…カバー基端部保持手段、４６…カバー保持バー、４７…カバー押さえプレート、４８…ハンドル付きボルト、５４…ボルト、５５…インキせき駆動手段、６０…進退軸、６１…インキせき進退用エアシリンダ、６４…インキせき開閉用ロータリアクチュエータ、７０…挟持部材、７２…洗浄スタート押しボタン、７３…壷復帰スタート押しボタン、７４…制御装置、７５…インキ。
【図１】
2006088543.tif 000003
【図２】
2006088543.tif 000004
【図３】
2006088543.tif 000005
【図４】
2006088543.tif 000006
【図５】
2006088543.tif 000007
【図６】
2006088543.tif 000008
【図７】
2006088543.tif 000009
【図８】
2006088543.tif 000010
【図９】
2006088543.tif 000011
【図１０】
2006088543.tif 000012
【図１１】
2006088543.tif 000013
【図１２】
2006088543.tif 000014
【図１３】
2006088543.tif 000015
【図１４】
2006088543.tif 000016
【図１５】
2006088543.tif 000017
【図１６】
2006088543.tif 000018
【図１７】
2006088543.tif 000019